(57)【要約】      （修正有）【課題】包装により損傷の危険がはるかに減少し、半導体ウェーハのための発送の準備のできた包装を提供する。【解決手段】包装は、蓋４および本体３、蓋４と本体３の間のパッキング５および容器２の内部空間と容器２の外周の間のガス交換を可能にする、容器２に組み込まれた粒子フィルター６を有する、半導体ウェーハ１が積み込まれた、プラスチックからなる密閉可能な容器２、容器２を包囲し、低い圧力により容器に密着しているプラスチックからなる第１被膜７、湿分を結合する手段９、低い圧力により第１被膜および容器と密着している、湿分の通過を遮断する被覆を有する被覆されたプラスチックからなる第２被膜８、包囲された容器２を形状結合により組み込む、衝撃を吸収する部品１０、および二重に被覆され、組み込まれた容器２を形状結合により包囲する外部包装１１からなる。【選択図】図１
2005311380.tif 000002
【特許請求の範囲】
【請求項１】
半導体ウェーハのための発送の準備のできた包装であり、
ａ）蓋および本体、蓋と本体の間のパッキングおよび容器の内部空間と容器の外周の間のガス交換を可能にする、容器に組み込まれた粒子フィルターを有する、半導体ウェーハが積み込まれた、プラスチックからなる密閉可能な容器、
ｂ）容器を包囲し、低い圧力により容器に密着しているプラスチックからなる第１被膜、
ｃ）湿分を結合する手段、
ｄ）低い圧力により第１被膜および容器と密着している、湿分の通過を遮断する被覆を有する被覆されたプラスチックからなる第２被膜、
ｅ）包囲された容器を形状結合により組み込む、衝撃を吸収する部品、および
ｆ）二重に被覆され、組み込まれた容器を形状結合により包囲する外部包装
からなる半導体ウェーハのための発送の準備のできた包装。
【請求項２】
第１被膜が透明である請求項１記載の包装。
【請求項３】
第２被膜が耐亀裂性外部被覆を有する請求項１または２記載の包装。
【請求項４】
第１被膜と第２被膜および第２被膜の外周の間の低い圧力が５０ミリバールまでである請求項１から３までのいずれか１項記載の包装。
【請求項５】
請求項１から４までのいずれかに記載の包装に半導体ウェーハを発送の準備のできた状態で包装する方法において、
ａ）複数の容器を洗浄し、乾燥し、その際容器が１つのチャージを形成し、
ｂ）チャージの容器の粒子、金属および有機物による不純物の存在を分析し、
ｃ）チャージのその他の容器に半導体ウェーハを積み込み、分析によりそれぞれの不純物が決められた限界値より低いことが得られた場合に、容器を蓋で閉鎖し、
ｄ）容器を第１被膜で被覆し、第１被膜が容器に密着するまで、第１被膜の内部空間に低い圧力を生じ、
ｅ）被覆された容器を第２被膜で被覆し、第２被膜が被覆された容器に密着するまで第２被膜の内部空間に低い圧力を生じ、
ｆ）少なくとも容器と第１被膜（工程ｄ）の間）の間または被覆された容器と第２被膜（工程ｅ）の間）の間に湿分を結合する手段を導入し、
ｇ）二重に被覆された容器を衝撃吸収部品に組み込み、
ｈ）二重に被覆された、組み込まれた容器を外部包装に包装し、外部包装を閉鎖するかまたはｂ）による分析によりそれぞれの不純物が完全に決められた限界値より低くないことが得られた場合は、工程ａ）を継続し、その際チャージのその他の容器が新しいチャージを形成する
ことを特徴とする半導体ウェーハを発送の準備のできた状態で包装する方法。
【請求項６】
ｂ）による分析のために以下の限界値が決定されている請求項５記載の方法：
ａ）ＬＰＣ試験において、
１μｍより大きい直径を有する粒子を測定する場合に、５０未満の粒子数、
０.３μｍより大きい直径を有する粒子を測定する場合に、１０００未満の粒子数、
０.２μｍより大きい直径を有する粒子を測定する場合に、２０００未満の粒子数、
ｂ）微量の金属および金属イオンの試験において、
ＩＣＰ−ＭＳによる測定の場合に、金属が多くても１００ｎｇの全質量を有する、
ＣＥによる測定の場合に、イオンが多くても２００ｎｇの全質量を有する、
ｃ）有機不純物の試験において、
ガスクロマトグラフィーによる測定の場合に、検査した容器材料の質量に対して有機不純物が５０ｐｐｍ未満の全濃度である。
【発明の詳細な説明】
【技術分野】
【０００１】
本発明の対象は半導体ウェーハのための発送の準備のできた包装および前記包装に半導体ウェーハを発送の準備のできた状態で包装する方法である。
【背景技術】
【０００２】
半導体ウェーハは一般に製造者の場所から購入者の位置に送られる。搬送の際に珍しくない長い距離を進み、搬送手段を交換しなければならない。従って敏感な半導体ウェーハが損傷するかなりの危険が存在する。引っ掻き傷または破損による目に見える損傷がなくても不純物が半導体ウェーハを所望の使用目的、すなわち電子部品の製造のためにかなり傷つけるかまたは更に使用不能にする。
【０００３】
半導体ウェーハを有する複数の容器のための衝撃を吸収する包装は開示されており（特許文献１参照）、この包装は発泡プラスチックの２つの半体シェルからなり、凹所を有し、この凹所に容器が形状結合によりはめ込まれている。市販されている容器はこの分野ではＦＯＳＢと呼ばれ、これはｆｒｏｎｔ  ｏｐｅｎｉｎｇ  ｓｈｉｐｐｉｎｇ  ｂｏｘ  である。この種の容器は例えば特許文献２に記載されている。
【０００４】
これらの衝撃吸収包装は半導体ウェーハが搬送の際に機械的に損傷する危険を少なくするために適している。
【特許文献１】米国特許第６１３１７３９号明細書
【特許文献２】米国特許第６５８１２６４号明細書
【発明の開示】
【発明が解決しようとする課題】
【０００５】
本発明の課題は、包装により損傷の危険がはるかに減少し、中に搬送される半導体ウェーハを容器から、積み込む際に容器が半導体ウェーハを有する状態に実質的に相当する状態で取り出すことができることを広い範囲で保証する、半導体ウェーハのための発送の準備のできた包装を提供することである。
【課題を解決するための手段】
【０００６】
前記課題は、本発明により、
ａ）蓋および本体、蓋と本体の間のパッキングおよび容器の内部空間と容器の外周の間のガス交換を可能にする、容器に組み込まれた粒子フィルターを有する、半導体ウェーハが積み込まれた、プラスチックからなる密閉可能な容器、
ｂ）容器を包囲し、低い圧力により容器に密着しているプラスチックからなる第１被膜、
ｃ）湿分を結合する手段、
ｄ）低い圧力により第１被膜および容器と密着している、湿分の通過を遮断する被覆を有する被覆されたプラスチックからなる第２被膜、
ｅ）包囲された容器を形状結合により組み込む、衝撃を吸収する部品、および
ｆ）二重に被覆され、組み込まれた容器を形状結合により包囲する外部包装
からなる半導体ウェーハのための発送の準備のできた包装により解決される。
【０００７】
本発明の対象は更に請求項１から４までのいずれかに記載の包装に半導体ウェーハを発送の準備のできた状態で包装する方法であり、
ａ）複数の容器を洗浄し、乾燥し、その際容器がチャージを形成し、
ｂ）チャージの容器の粒子、金属および有機物による不純物の存在を分析し、
ｃ）チャージのその他の容器に半導体ウェーハを積み込み、分析でそれぞれの不純物が決められた限界値より低いことが得られた場合は、容器を蓋で閉鎖し、
ｄ）容器を第１被膜で被覆し、第１被膜が容器に密着するまで、第１被膜の内部空間に低い圧力を生じ、
ｅ）被覆された容器を第２被膜で被覆し、第２被膜が被覆された容器に密着するまで第２被膜の内部空間に低い圧力を生じ、
ｆ）少なくとも容器と第１被膜（工程ｄ）の間）の間または被覆された容器と第２被膜（工程ｅ）の間）の間に湿分を結合する手段を導入し、
ｇ）二重に被覆された容器を衝撃吸収部品に組み込み、
ｈ）二重に被覆された、組み込まれた容器を外部包装に包装し、外部包装を閉鎖するかまたはｂ）による分析でそれぞれの不純物が完全に決められた限界値より低くないことが得られた場合は、工程ａ）を継続し、その際チャージのその他の容器が新しいチャージを形成する
ことを特徴とする。
【０００８】
本発明の包装は半導体ウェーハの発送に、特に少なくとも３００ｍｍの直径を有するシリコンからなる半導体ウェーハの発送に最も適している。前記包装は半導体ウェーハがこの中で振動の結果としての損傷およびすべての種類の異種物質による汚染に対して有効に保護されることにより特に優れている。更に容器から半導体ウェーハを受け取ることができる包装の構造を可能にし、取り出す際に半導体ウェーハの汚染が生じる不安が存在しない。
【０００９】
本発明を以下に図面により詳細に説明する。図面には包装のすべての特徴が示されている。
【００１０】
半導体ウェーハ１は市販されているプラスチックからなる容器２内に存在し、前記容器は本体３および蓋４を有する。プラスチックとして特にポリカーボネート（ＰＣ）、ポリブチレンテレフタレート（ＰＢＴ）、ポリオレフィンエラストマー（ＰＯＥ）およびポリエチルエチレン（ＰＥＥ）が該当する。本体３と蓋４の間にパッキング、有利にプラスチックからなるパッキング５が設けられ、前記パッキングは蓋４を開放し、閉鎖する場合に摩擦の結果として粒子が形成されることを阻止し、外部からの粒子の浸入に対するバリアである。容器２は多くの半導体ウェーハ１を取り入れる場所を提供し、その際典型的に２５の数である。半導体ウェーハは例えば均一な対立するスリットに存在し、スリットが側面ガイドリブを有し、蓋の閉鎖後に蓋に組み込まれているばね舌状部により一般に直立して位置に維持される。容器２は更に少なくとも１つのガス透過性開口を有し、前記開口が粒子を抑制するフィルター６で閉鎖されている。前記開口は蓋４または容器の本体３に設けられていてもよい、
容器２は少なくとも２個の被膜により包囲されている。第１の容器に直接接する被膜７は有利にプラスチックからなる透明なフィルムであり、その際ポリエチレン（ＰＥ）が有利である。フィルムは有利に引っ張り強度および耐貫通性を高める被覆により強化されている。ポリアミド（ＰＡ）またはポリエチレンテレフタレート（ＰＥＴ）からなる層または両方の層の組み合わせを有する被覆が特に有利である。第２被膜８は再び有利にＰＥである被覆されたプラスチックからなり、その際被覆は機械的強度、特に引っ張り強度および耐貫通性を高め、外部からの湿分に対するバリアを形成する。アルミニウムで被覆されたプラスチックフィルムが有利であり、付加的に引っ張り強度および耐貫通性を高めるために外層で強化されているフィルムが特に有利である。外層は有利にポリアミド（ＰＡ）またはポリエチレンテレフタレート（ＰＥＴ）またはこれらの両方の層の組み合わせからなる。内部の湿分に対する保護のために湿分を結合する手段９、有利に１個以上の水を吸い上げる物質を充填した紙袋または布袋が備えられている。湿分を結合する手段９は有利に第１被膜と第２被膜の間に配置され、第１被膜７を拡散する湿分を吸収する。前記手段による粒子の放出は無駄であり、半導体ウェーハ１が更に容器２および第１被膜７により保護されるからである。しかし湿分を結合する手段９を付加的にまたはその代りに容器２と第１被膜７の間に配置することも可能である。両方の被膜のそれぞれおよび容器はラベルが備えられていてもよい。
【００１１】
一方で容器の内部空間および容器２と第１被膜７の間の空間および他方で第１被膜７と第２被膜８の間の空間の間で圧力の差が存在し、これにより被膜は容器にぴったりもしくは互いに接合する。これは重要であり、それはこれにより被膜が、衝撃を吸収する部品１０の形を変動するかまたは前記部品と被覆された容器２の間に弾力性の中間空間を形成する気泡を立てないからである。これによりこの形の変動が部品の損傷にまで拡大するか、または被覆した容器と部品の相対的運動が行われることが回避され、これがその都度粒子を形成していた。圧力の差は有利に５０ミリバールまでである。有利に被覆された容器の２つの互いに向かい合う面にはめ込まれた２個の部品１０が存在する。衝撃を吸収する部品１０は有利に発泡プラスチックまたは匹敵する特性を有する材料からなる。特に有利に衝撃を吸収する部品はポリプロピレン（ＰＰ）、ポリスチレン（ＰＳ）またはポリウレタン（ＰＵ）からなる。前記部品は凹所を有し、凹所に被覆された容器が形状結合により組み込まれる。前記部品は外部パッキング１１の内寸に相当する全長を有する。外部パッキング１１は部品１０およびこれに埋め込まれた被覆された容器２を同様に形状結合により包囲する。従って半導体ウェーハ１の搬送の間に容器２および部品１０が外部パッキング１１内を移動することが排除される。外部パッキングは有利に厚紙容器材料または軽金属からなる。その全長は有利にそのまま発送の準備ができており、場合によりパレットに積み込むことができるような寸法にされている。
【００１２】
半導体ウェーハは前記の発送の準備のできた包装中で二重の方法で湿分の作用に対して保護される。内部から湿分を結合する手段９によりおよび外部から湿分の通過を遮断する第２被膜８により保護される。粒子が浸入する前の特別な保護は蓋４と容器２の本体３の間のパッキングリング５によりおよび容器壁内の粒子６を透過しないフィルターによる。有機物、微量金属および粒子による半導体ウェーハの汚染に対する特別の保護は容器および被膜のためにこの汚染を生じない材料を使用することによる。これは容器の場合に特に厳しく試験する。試験方法は本発明の方法の一部であり、これを以下に詳細に説明する。
【００１３】
容器に半導体ウェーハを積み込む前に容器を洗浄し、乾燥する。洗浄は有利に洗浄剤を充填した浸漬浴中でまたは容器に洗浄剤を噴霧する装置中で行う。洗浄剤として場合により界面活性剤を含む水が有利である。洗浄は有利に決められた時間にわたり外部条件を調節して、特に有利に決められた温度および空気湿度が設定されている１０以下の等級を有する純粋空間中で行う。予め品質の調節に成功して通過した場合は、容器に半導体ウェーハのみを積み込む。品質の調節は粒子、微量金属、微量イオン、および微量の有機不純物の分析および場合により損傷および欠陥の眼による検査からなり、それぞれの場合に決められた限界値を超えてなく、損傷および欠陥が存在しないことが分析と検査から得られた場合にのみ成功して通過する。分析による品質の調節は１つの容器で行い、この容器が同じ種類の容器の１つのチャージを代表する。この品質の調節を反対する理由なしに終了する場合は、半導体ウェーハを積み込むためのチャージのその他の容器を開放する。他の場合はチャージのその他の容器を新たに洗浄し、乾燥するかまたは場合により更なる使用から排除する。
【００１４】
上回ってはならない限界値として以下のものが該当する。
ａ）容器に粒子不含のきわめて純粋な水を充填し、振動し、引続き５０ｍｌの体積の試料を取り出し、市販のレーザー散乱光測定装置を使用して粒子の存在（ＬＰＣ  液体粒子数）を検査する、ＬＰＣ試験において、
１μｍより大きい直径を有する粒子を測定する場合に、５０未満、有利に１０未満の粒子数、０.３μｍより大きい直径を有する粒子を測定する場合に、１０００未満、有利に１００未満の粒子数、０.２μｍより大きい直径を有する粒子を測定する場合に、２０００未満、有利に２００未満の粒子数、
ｂ）容器にきわめて純粋な水５０ｍｌを充填し、振動し、水が不純物を含んでなく、試料をＩＣＰ−ＭＳ（高周波誘導結合プラズマ−質量分析）またはＣＥ（毛管電気泳動）を使用して分析する、微量の金属および金属イオンの試験において、ＩＣＰ−ＭＳによる測定の場合に、金属が多くても１００ｎｇ、有利に多くても１０ｎｇの全質量を有する、
ＣＥによる測定の場合に、イオンが多くても２００ｎｇ、有利に１００ｎｇの全質量を有する、
ｃ）容器材料を高温にし、ガスを出す有機不純物（例えばε−アミノカプロラクタム、テトラヒドロフラン）をガスクロマトグラフィーにより分析する有機不純物の試験において、ガスクロマトグラフィーによる測定の場合に、検査した容器材料の質量に対して有機不純物が５０ｐｐｍ未満、有利に５ｐｐｍ未満の全濃度である。
【００１５】
開放された容器に半導体ウェーハを積み込み、閉鎖する。これは有利にロボットにより行う。引続き容器を第１被膜で被覆し、場合により容器と被膜の間に湿分を吸収する袋を配置し、被膜の内部空間の圧力を減少し、被膜を溶接する。容器内に存在するガス雰囲気は有利に空気、窒素、希ガスまたは前記ガスの任意の混合物からなる。引続き一回被覆した容器に第２被膜を被覆し、場合により第１被膜と第２被膜の間に湿分を吸収する袋を配置し、第２被膜の内部空間の圧力を減少し、第２被膜を溶接する。第２被膜中に存在するガス雰囲気は有利に空気、窒素、希ガスまたは前記ガスの任意の混合物からなる。記載された方法で二重に被覆された容器は衝撃を吸収する部品にはめ込まれ、その際生じる束は外部包装に包装され、これを閉鎖する。
【００１６】
発送の準備のできた包装の品質の調節および構造は包装の受取人が半導体ウェーハを取り出せることを保証し、その特性は容器を積み込む場合にすでに有する特性に相当する。更に受取人が半導体ウェーハの包装の開放に関して特に柔軟に対応できる。従って外部包装、衝撃吸収部品および第２被膜をなお純粋空間条件の外部で除去することができる。第１被膜および特に容器の蓋はしかし受取人の純粋空間内で行う。
【００１７】
本発明により半導体ウェーハの発送中に湿った有機不純物が、後でこの不純物が電子部品の製造、特に０.１μｍ未満のライン幅を有する部品の製造に影響する量で半導体ウェーハに濃縮することが回避される。残留湿分が凝縮することが同様に回避され、これが同様に電子部品の製造の際に問題を生じていた。同様に半導体ウェーハが発送中に包装に由来する粒子により汚染されることが回避され、これが同様に電子部品の製造の際に問題を生じていた。更に特に包装の際に低い圧力の使用により容器が空気の封入により外部包装に対して移動することが回避され、これが搬送に起因する振動の場合に半導体ウェーハがばね舌状部留め具から飛び出し、特に周辺領域で損傷し、特に熱処理の際に部品製造中に高い破断の危険が存在することがあった。遊びのない包装は発送の間に被膜が損傷することが回避され、これが開放する際の半導体ウェーハの汚染を生じていた。
【００１８】
本発明は、半導体ウェーハを入れる前に側面当たり１０未満の中心である、０.０５μｍより大きい直径を有する光散乱中心（ＬＰＤ、光点欠陥）の形の異種物質から生じる半導体ウェーハの汚染を回避することを保証し、この値は半導体ウェーハを発送し、開放した後に上回らない。
【図面の簡単な説明】
【００１９】
【図１】本発明による半導体ウェーハの包装の図である。
【図１】
2005311380.tif 000003